(57)【要約】【課題】施工が容易でありながら、舗装面に転圧不良などが発生するのも防止することのできる雨水流出抑制施設を得る。【解決手段】雨水が流入する２つ以上の貯留浸透槽１を地中に備えた雨水流出抑制施設Ａにおいて、各貯留浸透槽１を各槽の上部を連通する上部連通管４によって接続する。各槽１内の空気は上部連通管４を通って大気に放出されるので、各槽ごとに地表に通じる通気孔を形成することを省略でき、施工が容易となる。【選択図】図１
2011174317.tif 000002
【特許請求の範囲】
【請求項１】
雨水が流入する貯留浸透槽を地中に備えた雨水流出抑制施設であって、２つ以上の貯留浸透槽を備えており、各槽は各槽の上部を連通する上部連通管によって接続されていることを特徴とする雨水流出抑制施設。
【請求項２】
請求項１に記載の雨水流出抑制施設であって、隣接する貯留浸透槽同士が直線的ではなく角度を持って接続している部分を有しており、その部分において前記上部連通管はフレキシブルな部材であるか自在継ぎ手管を備えていることを特徴とする雨水流出抑制施設。
【請求項３】
請求項１または２に記載の雨水流出抑制施設であって、各貯留浸透槽は各槽の下部を連通する下部連通部材によっても接続されていることを特徴とする雨水流出抑制施設。
【請求項４】
請求項２に従属する請求項３に記載の雨水流出抑制施設であって、隣接する貯留浸透槽同士が直線的ではなく角度を持って接続している部分において、前記下部連通部材もフレキシブルな部材であるか自在継ぎ手管を備えていることを特徴とする雨水流出抑制施設。
【発明の詳細な説明】
【技術分野】
【０００１】
本発明は、道路側溝を流れる雨水を地中に配置した貯留浸透槽に流入させることで、道路側溝から雨水が道路などに流出するのを抑制できるようにした雨水流出抑制施設に関する。
【背景技術】
【０００２】
道路側溝を流れる雨水の一部を、道路側溝から直接または流入桝を介して、地中に埋設してある貯留浸透槽に一時的に流入させることで、降雨量が多いときなどに道路側溝から雨水が道路に流出するのを抑制できるようにした雨水流出抑制施設は、知られている。道路に沿って複数個の貯留浸透槽を配置するようにした雨水流出抑制施設も知られており、特許文献１には、道路が緩やかに曲がっている場合でも、複数個の貯留浸透槽を道路の曲がりに沿って配置できるように、一方の貯留浸透槽の敷設方向とそれに隣接する他方の貯留浸透槽とを、自在継ぎ手管を備えた直管で接続するようにした雨水流出抑制施設が記載されている。
【０００３】
また、地中に設置する貯留浸透槽として、樹脂材料からなる貯水空間形成部材を多段に積み上げ、その周囲を透水シートで覆って浸透槽とすることも知られている（例えば、特許文献２、３等）。
【０００４】
従来知られた雨水流出抑制施設において、雨水とともに流れ込む砂やゴミ等が貯留浸透槽の内部全体に沈殿物として堆積してしまうのを防ぐために、雨水の流入口を貯留浸透槽の下部に設け、貯留浸透槽内には、沈殿物を下部に落とした後の上澄み水が貯留されるようにしているのが普通である。そして、貯留浸透槽の下部に沈殿し堆積した砂などは、定期的に高圧水やバキュームを用いて除去するようにしている。複数個の貯留浸透槽を道路に沿って地中に埋設する場合も、特許文献１に記載のように、各貯留浸透槽の下部同士を管部材等で接続するのが普通である。
【０００５】
そのような貯留浸透槽において、下部から雨水が槽内に入り込んできたときに、槽の上部に空気溜まりが生じないように、対応する量の空気を槽外に排出させることが必要であり、そのために、槽の上部から地表面へ通気孔を設置することも行われている。
【先行技術文献】
【特許文献】
【０００６】
【特許文献１】特開２００９−５２３０４号公報
【特許文献２】特開２００８−８０７５号公報
【特許文献３】特開２００９−２４４４７号公報
【発明の概要】
【発明が解決しようとする課題】
【０００７】
雨水流出抑制施設において、道路に沿って多数個の貯留浸透槽を設置する場合、道路の曲がりが急な場合には、容量の小さい小型の槽を角度を調整しながら多数配置することで、所定の貯留容量を確保することが必要となる。その場合、槽の数だけ、地表面への通気孔が設置されることとなり、貯留浸透槽の埋設作業が困難となるばかりでなく、道路舗装工事の転圧作業なども困難となって、転圧不良による変状が発生する恐れがある。
【０００８】
本発明は、上記のような事情に鑑みてなされたものであり、道路に沿って複数個の貯留浸透槽を埋設して構築される雨水流出抑制施設において、各貯留浸透槽ごとに地表面への通気孔を形成しなくても、各貯留浸透槽の上部に空気溜まりが生じるのを防止できるようにし、それにより、施工が容易でありながら、舗装面に転圧不良などが発生するのも防止することのできる雨水流出抑制施設を提供することを課題とする。
【課題を解決するための手段】
【０００９】
本発明による雨水流出抑制施設は、雨水が流入する貯留浸透槽を地中に備えた雨水流出抑制施設であって、２つ以上の貯留浸透槽を備えており、各槽は各槽の上部を連通する上部連通管によって接続されていることを特徴とする。
【００１０】
上記の雨水流出抑制施設では、複数個の貯留浸透槽は、各槽の上部を連通する上部連通管によって接続されているので、いずれかの槽内に雨水が流入したときに、当該槽から押し出される空気は、上部連通管を通って他の貯留浸透槽内に移動し、さらに、上部連通管の端部が開放している１本の通気孔または管理桝等を通して、地上面に排出される。そのために、各槽ごとに地上への通気孔を立設する必要はなく、貯留浸透槽を地中に埋設する作業は容易となる。また、複数本の地上への通気孔が存在しないことから、舗装も転圧不良がない状態で容易に行うことができる。
【００１１】
本発明による雨水流出抑制施設において、隣接する貯留浸透槽同士がすべて直線的に接続していてもよく、少なくとも一部の貯留浸透槽同士が直線的にではなく角度を持って接続していてもよい。そして、後者の場合には、その部分において前記上部連通管はフレキシブルな部材であるか自在継ぎ手管を備えるようにされる。
【００１２】
上部連通管をフレキシブルな部材とするか、自在継ぎ手管を備えるようにすることにより、隣接する貯留浸透槽同士の接続角度に応じて、双方の貯留浸透槽を容易に接続することができ、施工が容易となる。
【００１３】
本発明による雨水流出抑制施設において、上部連通管の一端が雨水流入口を兼ねていてもよく、上部連通管とは別に、各貯留浸透槽の下部を連通状態に接続する下部連通部材をさらに設けて、下部連通部材の一端を雨水流入口として利用するようにしてもよい。後者の場合において、隣接する貯留浸透槽同士が直線的ではなく角度を持って接続している部分においては、前記下部連通部材もフレキシブルな部材であるか自在継ぎ手管を備えているものとされる。
【発明の効果】
【００１４】
本発明によれば、施工が容易でありながら、舗装面に転圧不良などが発生するのも防止することのできる雨水流出抑制施設が得られる。
【図面の簡単な説明】
【００１５】
【図１】本発明による雨水流出抑制施設の一例を示す概略図。
【図２】本発明による雨水流出抑制施設の他の例を示す概略図。
【図３】本発明による雨水流出抑制施設のさらに他の例を示す概略図。
【図４】本発明による雨水流出抑制施設のさらに他の例を示す概略図。
【図５】貯留浸透槽を形成する貯水空間形成部材の一例を説明する図。
【発明を実施するための形態】
【００１６】
以下、図面を参照しながら、本発明の実施の形態を説明する。
【００１７】
図１は、本発明による雨水流出抑制施設の一例を示す概略図であり、雨水流出抑制施設Ａ１は、３つの貯留浸透槽１と、流入桝として機能する第１の管理桝１０と、流出桝として機能する第２の管理桝２０とで構成される。
【００１８】
各貯留浸透槽１は、同じものであり、雨水を一時的に貯留し地中に浸透させる機能を備える。貯留浸透槽１は、前記した特許文献１または２に記載されるような、従来知られたものであってよい。一例として、貯留浸透槽１は、図５に示す樹脂製の貯水空間形成部材３１を、９０度方向を変えながら多段に積み上げて形成されている。
【００１９】
この貯水空間形成部材３１は、前記した特許文献２に記載されるものであり、下端が開放された箱状部３２ａの複数個が間隔を空けながらＸ方向に配列した箱列３２が、Ｘ方向に直交するＹ方向に間隔を空けながら必要列数だけ配列した構成を基本的に備えている。必要な場合には、異なった大きさの複数個の貯水空間形成部材３１を箱列（凸部からなる列）３２の方向が同じ方向となるように寄せ集めて貯水空間形成部材３１とすることもできる。
【００２０】
そして、貯水空間形成部材３１の多数枚を、前記箱列（凸部からなる列）３２の方向が交互に９０度に交差した姿勢で上下方向に積み上げることにより、貯留浸透槽１とされる。図示の例で、貯留浸透槽１は、掘削した支持地盤に砕石のような基礎材２を敷き詰めて均平化し、その上に配置されており、全体が不織布のような透水性シート３により覆われることで、貯留浸透槽１とされている。
【００２１】
３つの貯留浸透槽１は、この例で、最上位に積み上げられた貯水空間形成部材３１における前記した箱列（凸部からなる列）３２、３２の間のＸ方向に延びる空間領域の向きが同じ方向となるようにして、地中に埋設されている。そして、隣接する各貯留浸透槽１同士は、双方の前記Ｘ方向に延びる空間領域のいずれかに接続する上位連通管４によって、互いの内部の空間が連通状態となるようにして接続されている。
【００２２】
第１の管理桝１０は、地上に開放したマンホール口１１を有し、底面１２は貯留浸透槽１の底面近傍にまで達している。第１の管理桝１０には、図示しない道路側溝からの溢流水が、図示しない流入口から流入する。第１の管理桝１０は上部領域に雨水出口１３を有し、該雨水出口１３は、前記した貯留浸透槽１の最上流側の貯留浸透槽１ａにおける最上位に積み上げられた貯水空間形成部材３１における前記した箱列３２、３２の間のＸ方向に延びる空間領域に接続している。
【００２３】
第２の管理桝２０は、第１の管理桝１０と同じ形状であってよく、地上に開放したマンホール口２１を有し、底面２２は貯留浸透槽１の底面近傍にまで達している。第２の管理桝２０は、その上部領域に、前記した貯留浸透槽１の最下流側の貯留浸透槽１ｃにおける最上位に積み上げられた貯水空間形成部材３１における前記した箱列３２、３２の間のＸ方向に延びる空間領域に接続した雨水入口２３を有しており、雨水入口２３から最下流側の貯留浸透槽１ｃ内の雨水が第２の管理桝２０に流入する。第２の管理桝２０内に流入した雨水は、図示しないオリフィスを備えた流出口から、河川等に排出される。
【００２４】
なお、図１では、３個の貯留浸透槽１を示したが、貯留浸透槽１の個数は任意である。また、図では、最上流側の貯留浸透槽１ａに第１の管理桝１０が接続し、最下流側の貯留浸透槽１ｃに第２の管理桝２０が接続するものとしたが、複数個の貯留浸透槽１のいずれに第１の管理桝１０が接続し、いずれに第２の管理桝２０が接続するかも任意である。
【００２５】
図１に示す雨水流出抑制施設Ａ１の雨水貯留時での状態を説明する。一時的に降雨量が多くなると、道路側溝からの雨水が第１の管理桝１０内に流入する。第１の管理桝１０内の水面レベルが雨水出口１３に達すると、雨水は雨水出口１３を通って、貯留浸透槽１ａ内に入り込む。第１の管理桝１０において、底面１２と雨水出口１３とは上下方向に大きく離れており、第１の管理桝１０の雨水出口１３より下位の領域は沈砂部として機能することができる。そのために、貯留浸透槽１ａ内に流入する雨水は、雨水に混入している土砂等が除去された清浄な上澄み水となる。
【００２６】
貯留浸透槽１ａ内に流入した雨水は、積層された貯水空間形成部材３１で形成される空間を下方に向けて流れ、貯留浸透槽１ａの底面に達する。そして、次第に前記空間内に貯留される。貯留浸透槽１ａ内での雨水の移動と貯留を円滑にするために、貯留浸透槽１ａ内の空気を流入する雨水量と等量だけ、外部に排除する必要がある。本発明による雨水流出抑制施設Ａ１では、隣接する槽同士は、その上部形成した上部連通管４によって連通した状態とされているので、貯留浸透槽１ａから排除された空気は、上部連通管４を通って隣接する貯留浸透槽１ｂ内に入り込む。以下、空気の送り出しが、隣接する貯留浸透槽１に順次伝わっていき、最後には、最下流側の貯留浸透槽１ｃに接続した雨水入口２３を通って、第２の管理桝２０に達し、大気に開放される。
【００２７】
一方、雨水は、次第に貯留浸透槽１ａ内に充満していき、貯留浸透槽１ａが満杯となった時点で、上部連通管４を通って隣接する貯留浸透槽１ｂ内に入り込む。そして、２つ目の貯留浸透槽１ｂを雨水で満たす。以下、雨水の流れは、隣接する貯留浸透槽１に順次伝わっていき、最後には、最下流側の貯留浸透槽１ｃを雨水で充満する。その状態で、さらに雨水が第１の管理桝１０から貯留浸透槽１ａ内に流入する場合には、雨水は、最下流側の貯留浸透槽１ｃに取り付けた雨水入口２３から第２の管理桝２０に入り込み、図示しないオリフィスを備えた流出口から、河川等に排出される。
【００２８】
そのような貯留の過程で、それぞれの貯留浸透槽１内に貯留された雨水は、不織布のような透水性シート３を通って、徐々に地中に含浸していく。それにより、下流での急激な増水による河川の氾濫も防止することができる。
【００２９】
上記のように、本発明による雨水流出抑制施設Ａ１では、槽内の空気を排出するために必要な地表に通じる通気孔を、各貯留浸透槽１ごとに形成することを要しない。そのために、貯留浸透槽１の施工がきわめて容易となるとともに、施工後に地表面を舗装するときに、必要な転圧作業を容易にかつ十分に行うことが可能となる。
【００３０】
図示しないが、本発明による雨水流出抑制施設は、流出桝として機能する第２の管理桝２０を備えない雨水流出抑制施設であってもよい。その場合には、いずれか１つの貯留浸透槽１、好ましくは、雨水が貯留される順番が最後となる貯留浸透槽１にのみ、地表に通じる通気孔を形成することで、本発明の所期の目的を達成することができる。また、雨水流出抑制施設を構成するすべての貯留浸透槽１が、各槽の上部を連通する上部連通管４によって相互に接続されていることを条件に、貯留浸透槽１への雨水の流入口は、図１に示すように貯留浸透槽１の上部でなくてもよく、下部等、適宜の位置であってもよい。
【００３１】
図２は、本発明による雨水流出抑制施設の他の例を示す概略図である。この雨水流出抑制施設Ａ２は、
（ａ）各貯留浸透槽１が、上記した上部連通管４に加えて、各貯留浸透層１の下部を連通する下部連通部材５によっても接続されている点、
（ｂ）第１の管理桝１０が、上部領域に形成した雨水出口１３に加えて、下部領域に形成した第２の雨水出口１４をさらに有し、該第２の雨水出口１４は、最上流側の貯留浸透槽１ａにおける最下位近傍に位置する貯水空間形成部材３１における前記した箱列３２、３２の間のＸ方向に延びる空間領域に接続している点、および、
（ｃ）第２の管理桝２０が、上部領域に形成した雨水入口２３に加えて、下部領域に形成した第２の雨水入口２４をさらに有し、該第２の雨水入口２４は、最下流側の貯留浸透槽１ｃにおける最下位近傍に位置する貯水空間形成部材３１における前記した箱列３２、３２の間のＸ方向に延びる空間領域に接続している点、
の３点で、図１に示した雨水流出抑制施設Ａ１と相違している。他の構成は同じであってよく、同じ部材には同じ符号を付している。
【００３２】
この雨水流出抑制施設Ａ２では、第１の管理桝１０内に流入した雨水は、第２の雨水出口１４を通って、貯留浸透槽１ａ内に流入し、そこから、下部連通部材５を通って、順次、他の貯留浸透槽、すなわち、貯留浸透槽１ｂ、貯留浸透槽１ｃへと流れていき、最後には、最下流側の貯留浸透槽１ｃに取り付けた第２の雨水入口２４から第２の管理桝２０に入り込み、図示しないオリフィスを備えた流出口から、河川等に排出される。流出口からの流出量を超える雨水は、各貯留浸透槽１ａ〜１ｃ内に貯留され、次第に、地中に含浸していく。
【００３３】
貯留浸透槽１ａ〜１ｃ内に雨水が貯留される過程で、各槽内の空気は各槽の上部を連通している上部連通管４を通り、最終的に、第１の管理桝１０に形成した雨水出口１３または第２の管理桝２０に形成した雨水入口２３を通って、第１の管理桝１０または第２の管理桝２０に達し、そこから、大気に開放される。したがって、この態様でも、各貯留浸透槽１ａ〜１ｃへの雨水の貯留は円滑に行われる。
【００３４】
なお、雨水流出抑制施設Ａ２において、雨水出口１３または雨水入口２３のいずれか一方を省略してもよい。また、配置されるいずれか１つの貯留浸透槽１に地表に通じる通気孔を形成する場合には、雨水出口１３または雨水入口２３の双方を省力してもよい。その場合には、第２の管理桝２０それ自体を省略することもできる。
【００３５】
図３は、本発明による雨水流出抑制施設のさらに他の例を示す概略図である。この雨水流出抑制施設Ａ３は、第１の管理桝１０に形成した第２の雨水出口１４から第２の管理桝２０に形成した第２の雨水入口２４に亘るようにして、断面ほぼＵ字状をなす樋部材６が挿入されている点で、図２に示した雨水流出抑制施設Ａ２と相違する。他の構成は同じであってよく、同じ部材には同じ符号を付している。
【００３６】
すなわち、雨水流出抑制施設Ａ３では、前記樋部材６は、第１の管理桝１０に形成した第２の雨水出口１４、貯留浸透槽１ａでの最下位近傍に位置する貯水空間形成部材３１における前記した箱列３２、３２の間のＸ方向に延びる空間領域、下部連通部材５、貯留浸透槽１ｂでの前記したＸ方向に延びる空間領域、下部連通部材５、貯留浸透槽１ｃでの前記したＸ方向に延びる空間領域、および、第２の管理桝２０に形成した第２の雨水出口２４を連続的に通過するようにして、その内部に挿入されている。
【００３７】
この態様の雨水流出抑制施設Ａ３では、雨水中の土砂等は、前記した樋部材６内をそのまま通過して、第２の管理桝２０まで達することができるので、各貯留浸透槽１内に土砂等の沈殿が生じるのを効果的に阻止することができる。また、沈殿した場合でも、樋部材６内に高圧水を噴射することなどで、容易に沈殿物を除去することができる。樋部材６は、第１の管理桝１０および第２の管理桝２０の双方またはいずれか一方の内部空間にまで延長する延長部を有していてもよく、その場合には、洗浄用のノズルを貯留浸透槽１内に導入しやすくなる。
【００３８】
図４は、本発明による雨水流出抑制施設のさらに他の例を示す概略図であり、隣接する２つの貯留浸透槽１、１の接続部の状態を中心に示している。ここでは、前記した上位連通管４として、直管４ａと直管４ｂとを自在継ぎ手管７で接続した上部連通管４ｃを用いている。自在継ぎ手管７とは、一方の直管４ａの軸線方向に対して他方の直管４ｂの軸線方向が角度変更自在となるように２つの直管４ａ，４ｂを接続しうるものであり、それ自体は従来知られたものである。一例として、一方の直管４ａに接続する側の部材の表面は球面部となっており、該球面部を外包する球面部を備えた部材側の端部が直管４ｂに接続するようになっているものが挙げられる。
【００３９】
この構造を持つ上部連通管４ｃを２つの貯留浸透槽１、１の接続部に備えることにより、２つの貯留浸透槽１、１は、直線的ではなく、自在継ぎ手管７が許容する範囲の角度を持って互いに接続することができる。したがって、図１に示す雨水流出抑制施設Ａ１において、隣接する貯留浸透槽１、１間に配置する上部連通管４の全部または一部に、上記した上部連通管４ｃを配置することにより、複数個の貯留浸透槽１を道路の曲線に沿うようにして配置することが可能となる。
【００４０】
図２に示した雨水流出抑制施設Ａ２の場合には、自在継ぎ手管７を備えた上部連通管４ｃを配置した貯留浸透槽１、１間における下部連通部材５として、図示しないが、同様な形状の自在継ぎ手管７を備えた下部連通部材５を用いることで、やはり、複数個の貯留浸透槽１を道路の曲線に沿うようにして配置することが可能となる。必要な場合には、第１の管理桝１０および第２の管理桝２０の雨水出口および雨水入口も自在継ぎ手管７を備えた構造のものとしてもよい。また、自在継ぎ手管７を備えた上部連通管４ｃに代えて、フレキシブルな部材からなる上部連通管４（または下部連通部材５）を用いるようにしてもよい。
【符号の説明】
【００４１】
Ａ１〜Ａ３…本発明による雨水流出抑制施設、
１（１ａ〜１ａ）…貯留浸透槽、
３…透水性シート、
４…上位連通管、
４ｃ…自在継ぎ手管を備えた上部連通管、
５…下部連通部材、
６…断面ほぼＵ字状をなす樋部材、
７…自在継ぎ手管
１０…流入桝として機能する第１の管理桝、
１３…雨水出口、
１４…第２の雨水出口、
２０…流出桝として機能する第２の管理桝、
２３…雨水入口、
２４…第２の雨水入口。
【図１】
2011174317.tif 000003
【図２】
2011174317.tif 000004
【図３】
2011174317.tif 000005
【図４】
2011174317.tif 000006
【図５】
2011174317.tif 000007